(57)【要約】【課題】  携帯に便利であって搬送性に優れ、必要時にはアウトドアにおいて迅速に組み立てることができ、飯盒等を有効に加熱することができる加熱器を提供する。【解決手段】  端部に開口を有する缶体と、上記缶体の側面部の開口側端部に係合して着脱可能に配置されると共に上方に被加熱体を載置しうる一対の板状支持体とを備えた。【選択図】  図１
0003173812.tif 000002
【実用新案登録請求の範囲】
【請求項１】
端部に開口を有する缶体と、上記缶体の側面部の開口側端部に係合して着脱可能に配置されると共に上方に被加熱体を載置しうる一対の板状支持体とを備えたことを特徴とする加熱器。
【請求項２】
上記板状支持体は、略長方形状の支持片本体部と、上記支持片本体部の長さ方向中央部において下方へ延設された内側支持片部と、上記内側支持片部の両側に設けられ、上記内側支持片部と共に上記側面部を挟持する一対の外側支持片部とを備えていることを特徴とする請求項１記載の加熱器。
【請求項３】
上記缶体の側面部には開口部が形成されていると共に、支持片本体部の上端部は折曲されて被加熱体の載置面部が形成されていることを特徴とする請求項２記載の加熱器。
【請求項４】
上記一対の板状支持体の内側支持片部には、夫々、固定用孔部が形成されると共に上記側面部には上記固定用孔部に対応する孔部が開設され、上記固定用孔部及び上記孔部を貫通し一対の板状支持体を管体の側面部に固定する固定具を備えたことを特徴とする請求項１、２又は３記載の加熱器。
【請求項５】
上記固定具は、上記一対の板状支持体及び上記側面部を貫通する棒状体であることを特徴とする請求項４記載の加熱器。
【請求項６】
上記板状支持体上に載置される金網体を備えたことを特徴とする請求項１、２、３、４又は５記載の加熱器。
【考案の詳細な説明】
【技術分野】
【０００１】
本考案は、加熱器に係り、特に、野外において調理を行う際に簡単に組み立てられる加熱器に関する。
関する。
【背景技術】
【０００２】
一般に、野外、特に、野山においてトレッキング、キャンプ等を行う場合には、食事に際し、飯盒や食材を加熱する必要がある。
このような場合に、従来より、固形燃料を使用し飯盒等を野外において加熱しうる携帯用の加熱器が使用されている。
【０００３】
しかしながら、このような従来の携帯用の加熱器にあっては、所定の大きさがあると共に所定の重量があり、リュックサック等に入れて持ち運ぶ際には嵩張ると共に重いことから搬送に不便さがあった。
従って、従来より、嵩張ることなく軽量で、搬送性に優れ、アウトドアにおいて迅速に組み立てられ、飯盒等の被加熱物を有効に加熱しうる加熱器が望まれていた。
【考案の開示】
【考案が解決しようとする課題】
【０００４】
本考案はこのような従来からの不具合を解決するためのものであって、その課題は、携帯に便利であって搬送性に優れ、必要時にはアウトドアにおいて迅速に組み立てることができ、飯盒等を有効に加熱することができる加熱器を提供することにある。
【課題を解決するための手段】
【０００５】
上記課題達成のため、請求項１記載の考案にあっては、端部に開口を有する缶体と、上記缶体の側面部の開口側端部に係合して着脱可能に配置されると共に上方に被加熱体を載置しうる一対の板状支持体とを備えたことを特徴とする。
従って、使用者は、上記缶体の側面部の開口側端部に一対の板状支持体を係合させ、上記一対の板状支持体上に被加熱体を載置し、缶体内で燃焼物を燃焼させることにより被加熱体を加熱することができる。
【０００６】
請求項２記載の考案にあっては、上記板状支持体は、略長方形状の支持片本体部と、上記支持片本体部の長さ方向中央部において下方へ延設された内側支持片部と、上記内側支持片部の両側に設けられ、上記内側支持片部と共に上記側面部を挟持する一対の外側支持片部とを備えていることを特徴とする。
従って、請求項２記載の考案にあっては、板状支持体は、内側支持片と外側支持片とにより側面部を挟持するようにして側面部に係合固定される。
【０００７】
請求項３記載の考案にあっては、上記缶体の側面部には開口部が形成されていると共に、支持片本体部の上端部は折曲されて被加熱体の載置面部が形成されていることを特徴とする。
従って、請求項３記載の考案にあっては、缶体の側面部には上記開口部が形成されていることから、缶体内部で燃焼物を燃焼させた場合に空気の流通が良好に行われると共に、上記載置面部上に被加熱体が載置される。
【０００８】
請求項４記載の考案にあっては、上記一対の板状支持体の内側支持片部には、夫々、固定用孔部が形成されると共に上記側面部には上記固定用孔部に対応する孔部が開設され、上記固定用孔部及び上記孔部を貫通し一対の板状支持体を管体の側面部に固定する固定具を備えたことを特徴とする。
従って、請求項４記載の考案にあっては、上記固定具により一対の板状支持体は缶体の側面部に固定される。
【０００９】
請求項５記載の考案にあっては、上記固定具は、上記一対の板状支持体及び上記側面部を貫通する棒状体であることを特徴とする。
従って、請求項５記載の考案にあっては、上記棒状体の固定具により一対の板状支持体は缶体の側面部に固定される。
【００１０】
請求項６記載の考案にあっては、上記板状支持体上に載置される金網体を備えたことを特徴とする。従って、請求項６記載の考案にあっては、上記金網体上に、飯盒以外の被加熱物、例えば、調理用の各種食材を載置して加熱することができる。
【考案の効果】
【００１１】
請求項１記載の考案にあっては、端部に開口を有する缶体と、上記缶体の側面部の開口側端部に係合して着脱可能に配置されると共に上方に被加熱体を載置しうる一対の板状支持体とを携帯し、使用時には、上記缶体の側面部の開口側端部に一対の板状支持体を係合させ、上記一対の板状支持体上に被加熱体を載置し、缶体内で燃焼物を燃焼させることにより被加熱体を加熱することができる。
その結果、リュックサック等による携帯時には、従来のように所定の大きさ及び所定の重量を有する加熱器をリュックサックに入れて持ち運ぶ必要はなく、缶体と一対の板状支持体を携帯すればよく、軽量であると共に必要最小限の部品のみを携帯すればよいことから、野外における携帯性が非常に良好であって、また、必要時には迅速に組み立てることができる。
【００１２】
請求項２記載の考案にあっては、上記板状支持体は、略長方形状の支持片本体部と、上記支持片本体部の長さ方向中央部において下方へ延設された内側支持片部と、上記内側支持片部の両側に設けられ、上記内側支持片部と共に上記側面部を挟持する一対の外側支持片部とを備え、板状支持体は、内側支持片と外側支持片とにより側面部に係合固定されるように構成されていることから、使用時における組立が容易である。
【００１３】
請求項３記載の考案にあっては、缶体の側面部には上記開口部が形成されていることから、缶体内部で燃焼物を燃焼させた場合に空気の流通が有効に行われることから、燃焼効率の良好な加熱器を提供することができる。
また、請求項３記載の考案にあっては、支持片本体部の上端部は折曲されて被加熱体の載置面部が形成されていることから、安定して被加熱物を載置して加熱できる加熱器を提供することができる。
【００１４】
請求項４及び５記載の考案にあっては、上記固定具により一対の板状支持体は缶体の側面部に固定されることから、上方に被加熱体を載置した場合であっても強固に被加熱体を支持できる加熱器を提供することができる。
【００１５】
請求項６記載の考案にあっては、上記金網体状に被加熱物を載置して加熱することができることから、飯盒以外の、様々な調理用食材を容易に加熱することができる。
【図面の簡単な説明】
【００１６】
【図１】本考案に係る加熱器の一実施の形態を示す斜視図である。
【図２】本考案に係る加熱器に使用される板状支持体の一実施の形態を示す斜視図である。
【図３】本考案に係る加熱器に飯盒を載置して加熱している状態を示す斜視図である。
【図４】本考案に係る加熱器の一実施の形態を示し、板状支持体の固定具を示す分解斜視図である。
【図５】本考案に係る加熱器の一実施の形態を示し、固定具により板状支持体を固定具により缶体に固定した状態を示す斜視図である。
【図６】本考案に係る加熱器の一実施の形態を示し、板状支持体を固定具により缶体に固定して飯盒を載置した状態を示す斜視図である。
【図７】本考案に係る加熱器の一実施の形態を示し、板状支持体を棒状部材により缶体に固定した場合を示す斜視図である。
【図８】本考案に係る加熱器の一実施の形態を示し、板状支持体上に金網を載置した状態を示す斜視図である。
【考案を実施するための最良の形態】
【００１７】
以下、添付図面に示す実施の形態に基づき、本考案を詳細に説明する。
図１に示すように、本実施の形態に係る加熱器１０は、端部に開口を有する缶体１１と、上記缶体１１の側面部１２の開口側端部１３に係合して着脱可能に配置されると共に上方に被加熱体を載置しうる一対の板状支持体１４ａ、１４ｂとを備えている。
【００１８】
上記缶体１１は、例えば、様々な食品が収納されていた使用済みの空き缶を使用することができる。また、上記缶体１１の側面部１２には２つの開口２２，２２が形成されている
【００１９】
図２に示すように、上記板状支持体１４は、金属製であって、略長方形状の支持片本体部１５と、上記支持片本体部１５の長さ方向中央部において下方へ延設された略長方形状の内側支持片部１６と、上記内側支持片部１６の両側に設けられ、上記内側支持片部１６と共に上記側面部１２を挟持する、一対の、略長法形状に形成された外側支持片部１７、１７とを備えている。
【００２０】
図２に示すように、本実施の形態に係る加熱器１０にあっては、上記内側支持片部１６は他の外側支持片部１７、１７よりも長く、略３倍程度の長さ寸法に形成されている。上記外側支持片部１７、１７と徐き内側支持片部１６との間にはスリット部１８、１８が形成されている。また、支持片本体部１５の上端部は略直角に折曲されて被加熱体の載置面部２０が形成されている。
【００２１】
従って、本実施の形態に係る加熱器１０を使用する場合には、図１に示すように、上記缶体１１の側面部１２の開口側端部１３において、上記一方の板状支持体１４ａの、内側支持片部１６を側面部１２の内方に配置させると共に、外側支持片部１７、１７を側面部１２の外方に配置させるように、開口側端部１２の上方から押し込む。
【００２２】
この場合、上記のように、内側支持片部１６は、外側支持片部１７、１７の約３倍程度の長さ寸法に形成されていることから、外側支持片部１７、１７を側面部１２の外方に配置させると共に、内側支持片部１６を側面部１２の内方に配置させた場合には、内側支持片部１６は撓んで側面部１２の内方に配置される。
【００２３】
この場合、内側支持片部１６と外側支持片部１５、１５との間には、厚さ方向において、側面部１２を介して、相互に引き合う方向の係合力が作用することから、内側支持片部１６及び外側支持片部１５、１５が側面部１２を挟持する形で板状支持体１４は側面部に固定される。
その後、開口部１９の端部において、取り付けた一方の板状支持体１４ａに直径方向において略対向する部位に、上記同様にして板状支持体１４ｂを固定する。その結果、図３に示すように、上記板状支持体１４ａ、１４ｂ上に飯盒２１を載置することができる。
【００２４】
その結果、上記缶体１１内に、固形燃料、その他の適当な可燃物を置き、点火することにより板状支持体１４ａ、１４ｂ上に載置された飯盒を加熱することができ、調理を行うこができる。
【００２５】
図４〜図７は、本考案に係る加熱器の第二の実施の形態を示す。
本実施の形態にあっては、上記一対の板状支持体１４ａ、１４ｂの内側支持片部１６、１６には、夫々、固定用孔部２３、２３が形成されており、固定具であるボルト２４及びナット２５が貫通しうるように構成されている。また、缶体１０の側面部１２には、上記板状支持体１４、１４が側面部１２に固定された場合に対応する部位には孔部２６が開設されている。
【００２６】
従って、本実施の形態にあっては、板状支持体１４ａ、１４ｂを缶体１１の側面部１２に係合させ、かつ、板状支持体１４ａ、１４ｂの内側支持片部１６、１６に開設された固定用孔部２３、２３と側面部１２に開設された孔部２６、２６を合致させ、図５に示すように、夫々、ボルト２４、２４を、上記固定用孔部２３及び孔部２６に貫通させて缶体１１の内側面側でナット２５、２５により固定する。
【００２７】
これにより、板状支持体１４ａ、１４ｂは強固に缶体１１に固定されることから、図６に示すように、より安定した状態で飯盒２１を支持することができる。
【００２８】
なお、上記固定具に関しては、２個のボルト２４及びナット２５により、個別に夫々、板状支持体１４ａ、１４ｂを固定する場合以外にも、例えば、図７に示すように、棒状ナット２７により固定用孔部２３、２３及び孔部２６，２６を貫通して固定することもできる。
【００２９】
さらに、図８に示すように、上記板状支持体１４ａ、１４ｂ上に載置される金網体２８を備えてもよい。即ち、金網体２８は、上記板状支持体１４ａ、１４ｂ上に載置できる大きさに形成されており、金網体２８を利用した場合には、金網体２８上に、様々な食品等の被加熱体を載置して加熱することができることから、様々な食品の調理を行うことができる。
【産業上の利用可能性】
【００３０】
本考案に係る加熱器は、アウトドアで、調理を簡単、迅速に行うための加熱器に広く適用することができることから産業上の利用可能性を有している。
【符号の説明】
【００３１】
１０  加熱器
１１  缶体
１２  側面部
１３  開口側端部
１４  板状支持体
１５  支持片本体部
１６  内側支持片部
１７  外側支持片部
１８  スリット部
１９  開口部
２０  載置面部
２１  飯盒
２２  開口
２３  固定用孔部
２４  ボルト
２５  ナット
２６  孔部
２７  棒状ナット
２８  金網体
【図１】
0003173812.tif 000003
【図２】
0003173812.tif 000004
【図３】
0003173812.tif 000005
【図４】
0003173812.tif 000006
【図５】
0003173812.tif 000007
【図６】
0003173812.tif 000008
【図７】
0003173812.tif 000009
【図８】
0003173812.tif 000010